(57)【要約】      （修正有）【課題】電子機器が使用される可能性が高まった場合に電子機器への電力供給を開始することで、ユーザが電子機器に到達後処理開始までに要する時間を短縮することができる制御装置を提供する。【解決手段】第１区域にユーザが進入した場合に、第１の動作のための電力を印刷装置に供給し、第１区域よりも広い第２区域にユーザが進入し、且つ、予め定められた事象の発生を契機として印刷装置に処理を実行させる命令を外部装置から受信済みである場合に、当該命令に応じた第２の動作のための電力を印刷装置に供給する。【選択図】図７
2016049655.tif 000002
【特許請求の範囲】
【請求項１】
第１区域にユーザが進入した場合に、第１の動作のための電力を電子機器に供給し、前記第１区域よりも広い第２区域にユーザが進入し、且つ、予め定められた事象の発生を契機として前記電子機器に処理を実行させる命令を外部装置から受信済みである場合に、当該命令に応じた第２の動作のための電力を前記電子機器に供給する供給手段を備える制御装置。
【請求項２】
前記供給手段は、前記第２区域に進入したユーザに関連付けられた前記命令を前記外部装置から受信済みである場合に、当該命令に応じた第２の動作のための電力を前記電子機器に供給する請求項１に記載の制御装置。
【請求項３】
前記供給手段は、前記第２区域に進入したユーザに関連付けられた前記命令を前記外部装置から受信済みでない場合は、前記第１区域にユーザが進入したときに前記第１の動作のための電力を前記電子機器に供給する請求項２に記載の制御装置。
【請求項４】
前記第１区域又は前記第２区域へのユーザの進入を検知する検知装置を制御する検知制御手段であって、予め定められた事象の発生を契機として前記電子機器に処理を実行させる命令を前記外部装置から受信した場合、前記検知装置がユーザの進入を検知する区域を、前記第１区域から前記第２区域へ拡大させる検知制御手段を備える請求項１乃至３のいずれか１項に記載の制御装置。
【請求項５】
前記検知制御手段は、前記第２区域に進入したユーザに関連付けられた前記命令を前記外部装置から受信済みでない場合に、前記検知装置がユーザの進入を検知する区域を、前記第２区域から前記第１区域へ縮小させる請求項４に記載の制御装置。
【請求項６】
前記検知装置は、ユーザが携帯する携帯端末と電波を用いて通信し、
前記供給手段は、前記第２区域に進入したユーザに関連付けられた前記命令を前記外部装置から受信済みでない場合に、前記検知装置が前記携帯端末から受信した電波の強度が前記第１区域に対応する強度に達したならば、前記第１の動作のための電力を前記電子機器に供給する
請求項４に記載の制御装置。
【請求項７】
前記第１区域へのユーザの進入を検知する第１検知装置と前記第２区域へのユーザの進入を検知する第２検知装置とを制御する検知制御手段であって、予め定められた事象の発生を契機として前記電子機器に処理を実行させる命令を前記外部装置から受信したならば前記第２検知装置を動作させる検知制御手段を備える請求項１乃至３のいずれか１項に記載の制御装置。
【請求項８】
電子機器を制御するコンピュータを、
第１区域にユーザが進入した場合に、第１の動作のための電力を前記電子機器に供給し、前記第１区域よりも広い第２区域にユーザが進入し、且つ、予め定められた事象の発生を契機として前記電子機器に処理を実行させる命令を外部装置から受信済みである場合に、当該命令に応じた第２の動作のための電力を前記電子機器に供給する供給手段
として機能させるためのプログラム。
【発明の詳細な説明】
【技術分野】
【０００１】
本発明は、制御装置及びプログラムに関する。
【背景技術】
【０００２】
特許文献１には、画像処理装置の電力供給に関する技術が記載されている。この技術においては、画像処理装置がスリープモードにおいて無線でポーリングを行い、携帯端末を携帯したユーザがポーリング信号の到達範囲に進入すると、携帯端末がその信号を受信し、応答信号を画像処理装置に送信する。画像処理装置は、受信した応答信号を解析して識別情報を取得し、この識別情報と一致する識別情報が付加されたジョブの有無を確認する。該当するジョブが存在する場合には、画像処理装置がジョブの種類を特定し、そのジョブの処理に必要なデバイスに電力を供給してジョブの処理を実行する。該当するジョブが存在しない場合には、タッチパネルに電力を供給する。
【先行技術文献】
【特許文献】
【０００３】
【特許文献１】特開２０１４−３８５５８号公報
【発明の概要】
【発明が解決しようとする課題】
【０００４】
本発明は、電子機器が使用される可能性が高まった場合に電子機器への電力供給を開始することで、ユーザが電子機器に到達後処理開始までに要する時間を短縮することを目的とする。
【課題を解決するための手段】
【０００５】
請求項１に係る発明は、第１区域にユーザが進入した場合に、第１の動作のための電力を電子機器に供給し、前記第１区域よりも広い第２区域にユーザが進入し、且つ、予め定められた事象の発生を契機として前記電子機器に処理を実行させる命令を外部装置から受信済みである場合に、当該命令に応じた第２の動作のための電力を前記電子機器に供給する供給手段を備える制御装置を提供する。
【０００６】
請求項２に係る発明は、請求項１に記載の制御装置において、前記供給手段は、前記第２区域に進入したユーザに関連付けられた前記命令を前記外部装置から受信済みである場合に、当該命令に応じた第２の動作のための電力を前記電子機器に供給する。
【０００７】
請求項３に係る発明は、請求項２に記載の制御装置において、前記供給手段は、前記第２区域に進入したユーザに関連付けられた前記命令を前記外部装置から受信済みでない場合は、前記第１区域にユーザが進入したときに前記第１の動作のための電力を前記電子機器に供給する。
【０００８】
請求項４に係る発明は、請求項１乃至３のいずれか１項に記載の制御装置において、前記第１区域又は前記第２区域へのユーザの進入を検知する検知装置を制御する検知制御手段であって、予め定められた事象の発生を契機として前記電子機器に処理を実行させる命令を前記外部装置から受信した場合、前記検知装置がユーザの進入を検知する区域を、前記第１区域から前記第２区域へ拡大させる検知制御手段を備える。
【０００９】
請求項５に係る発明は、請求項４に記載の制御装置において、前記検知制御手段は、前記第２区域に進入したユーザに関連付けられた前記命令を前記外部装置から受信済みでない場合に、前記検知装置がユーザの進入を検知する区域を前記第２区域から前記第１区域へ縮小させる。
【００１０】
請求項６に係る発明は、請求項４に記載の制御装置において、前記検知装置は、ユーザが携帯する携帯端末と電波を用いて通信し、前記供給手段は、前記第２区域に進入したユーザに関連付けられた前記命令を前記外部装置から受信済みでない場合に、前記検知装置が前記携帯端末から受信した電波の強度が前記第１区域に対応する強度に達したならば、前記第１の動作のための電力を前記電子機器に供給する。
【００１１】
請求項７に係る発明は、請求項１乃至３のいずれか１項に記載の制御装置において、前記第１区域へのユーザの進入を検知する第１検知装置と前記第２区域へのユーザの進入を検知する第２検知装置とを制御する検知制御手段であって、予め定められた事象の発生を契機として前記電子機器に処理を実行させる命令を前記外部装置から受信したならば前記第２検知装置を動作させる検知制御手段を備える。
【００１２】
請求項８に係る発明は、電子機器を制御するコンピュータを、第１区域にユーザが進入した場合に、第１の動作のための電力を前記電子機器に供給し、前記第１区域よりも広い第２区域にユーザが進入し、且つ、予め定められた事象の発生を契機として前記電子機器に処理を実行させる命令を外部装置から受信済みである場合に、当該命令に応じた第２の動作のための電力を前記電子機器に供給する供給手段として機能させるためのプログラムを提供する。
【発明の効果】
【００１３】
請求項１、８に係る発明によれば、電子機器が使用される可能性が高まった場合に電子機器への電力供給を開始することで、ユーザが電子機器に到達後処理開始までに要する時間を短縮することができる。
請求項２に係る発明によれば、電子機器を使用する可能性が相対的に高いユーザが電子機器に接近した場合に、その可能性が相対的に低いユーザが電子機器に接近した場合と比べて電子機器への電力供給の開始を早めることができる。
請求項３に係る発明によれば、電子機器を使用する可能性が相対的に低いユーザが電子機器に接近した場合に、その可能性が相対的に高いユーザが電子機器に接近した場合と比べて電子機器への電力供給の開始を遅らせることができる。
請求項４、５に係る発明によれば、検知装置を１つで済ませることができる。
請求項６に係る発明によれば、検知装置がユーザの進入を検知する区域を第２区域に設定したままで、第１区域へのユーザの進入を検知することができる。
請求項７に係る発明によれば、電子機器が使用される可能性が高まった場合に、第１区域へのユーザの進入の検知と第２区域へのユーザの進入の検知とを並行して行うことができる。
【図面の簡単な説明】
【００１４】
【図１】第１実施形態の構成の全体を示す図。
【図２】印刷装置３のハードウェア構成を示す図。
【図３】制御装置１のハードウェア構成を示す図。
【図４】ユーザ識別テーブル１５を示す図。
【図５】ポーリング信号の到達範囲を示す図。
【図６】制御装置１の機能構成を示す図。
【図７】第１実施形態における制御装置１の動作を示す流れ図。
【図８】ポーリング信号の到達範囲を示す図。
【図９】第２実施形態における制御装置１の動作を示す流れ図。
【図１０】第３実施形態における制御装置１の動作を示す流れ図。
【図１１】第２実施形態の変形例を示す図。
【発明を実施するための形態】
【００１５】
本発明の実施形態の一例について説明する。
＜第１実施形態＞
図１は、第１実施形態の構成の全体を示す図である。印刷装置３は、電子機器の一例である。制御装置１と検知装置２は、印刷装置３と一体に構成されている。制御装置１は、印刷装置３の動作を制御する機能を有する。検知装置２は、定められた区域へのユーザの進入を検知する機能を有する。外部装置４は、例えばＰＣ（Personal Computer）であり、印刷装置３に処理を実行させるための命令を制御装置１に送信する。携帯端末５は、ユーザが携帯する携帯電話機、スマートフォン、タブレット端末などの通信端末である。
【００１６】
図２は、印刷装置３のハードウェア構成を示す図である。印刷装置３は、画像処理部３１、搬送部３２、画像形成部３３、定着部３４及びＵＩ部３５（User Interface）を備える。画像処理部３１は、外部装置４から送信された命令を制御装置１を介して受け取る。命令は、例えばページ記述言語で記述された印刷データである。画像処理部３１は、印刷データをデコンポーズしてラスタデータに変換する。搬送部３２は、収容部（図示省略）に収容されたシート状の記録媒体を１枚ずつ取り出し、取り出した記録媒体を搬送路（図示省略）に沿って搬送する。画像形成部３３は、画像処理部３１から出力されたラスタデータに基づいて、例えば電子写真方式によりトナー像を形成し、搬送路上を搬送される記録媒体にトナー像を転写する。定着部３４は、熱源と、ローラ対などによる加圧機構とを備え（図示省略）、加熱及び加圧によりトナー像を記録媒体に定着させる。ＵＩ部３５は、表示部と受付部とを備える（図示省略）。表示部は、例えば液晶表示装置であり、ユーザが印刷装置を操作するための操作画面を表示する。受付部は、例えば表示部の表示面を覆うように設けられたタッチパネルであり、ユーザが行った操作を受け付けて制御装置１に出力する。
【００１７】
図３は、制御装置１のハードウェア構成を示す図である。制御装置１は、制御部１１、記憶部１２、通信部１３及び電力供給部１４を備える。制御部１１は、ＣＰＵ（Central Processing Unit）などの演算装置と、ＲＯＭ（Read Only Memory）やＲＡＭ（Random Access Memory）などの記憶装置とを備える（いずれも図示省略）。ＲＯＭには、ハードウェアやＯＳ（Operating System）の起動の手順を記述したファームウェアが記憶されている。ＲＡＭは、ＣＰＵが演算を実行する際のデータの記憶に用いられる。記憶部１２は、例えばハードディスク記憶装置を備え、ＯＳやアプリケーションプログラムなどが記憶されている。通信部１３は、制御装置１をＬＡＮ（Local Area Network）に接続するための通信Ｉ／Ｆ（Interface）である。制御装置１は、ＬＡＮ経由で外部装置４と通信を行う。電力供給部１４は、変圧器、整流器、出力端子などを備え、出力端子と印刷装置３の各構成要素とは給電線で接続されている（図示省略）。電力供給部１４は、商用電源などから供給された電力を変圧器や整流器によって印刷装置３の各構成要素に適合する電力に変換し、変換した電力を印刷装置３の各構成要素に供給する。
【００１８】
検知装置２は、電波の到達範囲が数十ｃｍ（センチメーター）乃至数ｍ（メーター）程度である無線通信装置である。検知装置２は、周期的にポーリング信号を発信し、携帯端末５を携帯したユーザがポーリング信号の到達範囲内に進入すると、携帯端末５がこのポーリング信号を受信する。すると、携帯端末５が、ポーリング信号に対する応答として、端末識別情報を検知装置２に送信する。端末識別情報は、携帯端末５の各々に固有の情報であり、携帯端末５の各々に予め割り当てられている。
【００１９】
図４は、ユーザ識別テーブル１５を示す図である。ユーザ識別テーブル１５は、携帯端末５のユーザに固有のユーザ識別情報（ユーザ名、ユーザＩＤ（Identifier）など）と端末識別情報とを対応付けたテーブルであり、制御装置１の記憶部１２に記憶されている。携帯端末５から送信された端末識別情報を検知装置２が受信すると、検知装置２は受信した端末識別情報を制御装置１に出力する。制御部１１は、この端末識別情報に対応するユーザ識別情報をユーザ識別テーブル１５によって特定する。
【００２０】
図５は、ポーリング信号の到達範囲を示す図である。制御部１１は、検知装置２が発信するポーリング信号の強度を制御することにより、検知装置２がユーザの進入を検知する区域（以下、検知区域という。）の広さを制御する。第２区域２２は、第１区域２１よりも広い区域であり、例えば、第１区域２１は半径３ｍ、第２区域２２は半径１０ｍの円形の輪郭を有する区域である。ポーリング信号の強度が第１強度の場合、第１区域２１内にポーリング信号が到達し、ポーリング信号の強度が第２強度（第１強度よりも強い）の場合、第２区域２２内にポーリング信号が到達する。従って、制御部１１がポーリング信号の強度を第１強度に設定すると、検知区域は第１区域２１に設定され、制御部１１がポーリング信号の強度を第２強度に設定すると、検知区域は第２区域２２に設定される。検知区域が第１区域２１に設定された状態で検知装置２が携帯端末５から端末識別情報を受信した場合は、第１区域２１にユーザが進入したことを意味する。検知区域が第２区域２２に設定された状態で検知装置２が携帯端末５から端末識別情報を受信した場合は、第２区域２２にユーザが進入したことを意味する。
【００２１】
図６は、制御装置１の機能構成を示す図である。制御装置１は、第１区域２１にユーザが進入した場合に、第１の動作のための電力を印刷装置３（電子機器の一例）に供給し、第１区域２１よりも広い第２区域２２にユーザが進入し、且つ、予め定められた事象の発生を契機として印刷装置３に処理を実行させる印刷データ（命令の一例）を外部装置４から受信済みである場合に、当該印刷データに応じた第２の動作のための電力を印刷装置３に供給する供給手段１０１を備える。
【００２２】
供給手段１０１は、第２区域２２にユーザに進入したユーザに関連付けられた印刷データを外部装置４から受信済みである場合に、当該印刷データに応じた第２の動作のための電力を印刷装置３に供給する。また、供給手段１０１は、第２区域２２に進入したユーザに関連付けられた印刷データを外部装置４から受信済みでない場合は、第１区域２１にユーザが進入したときに第１の動作のための電力を印刷装置３に供給する。
【００２３】
また、制御装置１は、第１区域２１又は第２区域２２へのユーザの進入を検知する検知装置２を制御する検知制御手段１０２であって、予め定められた事象の発生を契機として印刷装置３に処理を実行させる印刷データを外部装置４から受信した場合、検知装置２がユーザの進入を検知する区域を、第１区域から第２区域へ拡大させる検知制御手段１０２を備える。検知制御手段１０２は、第２区域２２に進入したユーザに関連付けられた印刷データを外部装置４から受信済みでない場合に、検知装置２がユーザの進入を検知する区域を、第２区域２２から第１区域２１へ縮小させる。
【００２４】
ここで、外部装置４が制御装置１に送信する命令について説明する。命令は、例えばページ記述言語で記述された印刷データであり、外部装置４は、ユーザ識別情報を関連付けた印刷データを制御装置１に送信する。本実施形態では、制御装置１が印刷データを受信し次第、この印刷データに基づく印刷を実行するのではなく、受信した印刷データを記憶部１２に記憶させておき、その後、予め定められた事象の発生を契機として、制御部１１がこの印刷データに基づく印刷を印刷装置３に実行させるように設定されている。予め定められた事象とは、例えば、ユーザによる印刷装置３の操作である。具体的には、ユーザが印刷装置３のＵＩ部３５を操作して蓄積印刷を実行する旨の指示を与える。すると、ＵＩ部３５には、記憶部１２に記憶されている印刷データに関連付けられたユーザ識別情報が表示され、ユーザが自分のユーザ識別情報を選択して印刷の実行を指示すると、制御部１１が、選択された印刷データを印刷装置３の画像処理部３１に出力し、印刷が実行される。
【００２５】
図７は、第１実施形態における制御装置１の動作を示す流れ図である。制御装置１の制御部１１は、記憶部１２に記憶されたアプリケーションプログラムで記述された手順に従って以下の処理を実行する。
最初に、ステップＳ１０１において、制御部１１は、ポーリング信号の強度を第１強度に設定することによって、検知区域を第１区域２１に設定する。
ステップＳ１０２において、制御部１１は、記憶部１２に印刷データ（命令の一例）が記憶されているか否かを判定する。記憶部１２に印刷データが記憶されているということは、外部装置４から制御装置１が印刷データを受信済みであることを意味する。記憶部１２に印刷データが記憶されている場合（ステップＳ１０２：ＹＥＳ）には、制御部１１の処理はステップＳ１０３に進み、記憶部１２に印刷データが記憶されていない場合（ステップＳ１０２：ＮＯ）には、制御部１１の処理はステップＳ１０４に進む。
ステップＳ１０３において、制御部１１は、ポーリング信号の強度を第２強度に設定することによって、検知区域を第２区域２２に設定する。
【００２６】
ステップＳ１０４において、制御部１１は、定められた時間内に端末識別情報を受信したか否かを判定する。端末識別情報を受信したということは、第１区域２１又は第２区域２２にユーザが進入したことを意味する。定められた時間とは、例えば、数秒から数分といった長さの予め設定された時間である。この時間内に端末識別情報を受信した場合（ステップＳ１０４：ＹＥＳ）には、制御部１１の処理はステップＳ１０５に進み、この時間内に端末識別情報を受信しなかった場合（ステップＳ１０４：ＮＯ）には、制御部１１の処理はステップＳ１０２に戻る。
【００２７】
ステップＳ１０５において、制御部１１は、ユーザが識別されたか否かを判定する。具体的には、受信した端末識別情報に対応するユーザ識別情報がユーザ識別テーブル１５から読み出されたならば、制御部１１はユーザが識別されたと判定し（ステップＳ１０５：ＹＥＳ）、制御部１１の処理はステップＳ１０６に進み、受信した端末識別情報に対応するユーザ識別情報がユーザ識別テーブルに存在しないならば、制御部１１はユーザが識別されなかったと判定し（ステップＳ１０５：ＮＯ）、制御部１１の処理はステップＳ１０２に戻る。
【００２８】
ステップＳ１０６において、制御部１１は、ユーザを検知した区域が第２区域２２か否かを判定する。ユーザを検知した区域が第２区域２２であるということは、記憶部１２に印刷データが記憶されていることを意味する。ユーザを検知した区域が第２区域２２である場合（ステップＳ１０６：ＹＥＳ）には、制御部１１の処理はステップＳ１０７に進み、ユーザを検知した区域が第２区域２２でない（つまり、第１区域２１である）場合（ステップＳ１０６：ＮＯ）には、制御部１１の処理はステップＳ１０８に進む。
【００２９】
ステップＳ１０７において、制御部１１は、当該ユーザに関連付けられた印刷データが記憶部１２に記憶されているか否かを判定する。当該ユーザに関連付けられた印刷データが記憶部１２に記憶されている場合（ステップＳ１０７：ＹＥＳ）には、制御部１１の処理はステップＳ１０８に進み、当該ユーザに関連付けられた印刷データが記憶部１２に記憶されていない場合（ステップＳ１０７：ＮＯ）には、制御部１１の処理はステップＳ１１０に進む。
ステップＳ１１０において、制御部１１は、ポーリング信号の強度を第１強度に設定することによって、検知区域を第１区域２１に設定する。すると、制御部１１の処理はステップＳ１０４に戻る。
【００３０】
ステップＳ１０８において、制御部１１は、電力の供給先を決定する。ここで、ユーザを検知した区域が第２区域２２であり、且つ、当該ユーザに関連付けられた印刷データが記憶されている場合には、制御部１１は、当該印刷データに基づいて電力の供給先を決定する。具体的には、制御部１１は、電力の供給先を画像処理部３１と定着部３４に決定する。一方、ユーザを検知した区域が第１区域である場合には、当該ユーザに関連付けられた印刷データが記憶されていないため、制御部１１は、電力の供給先をＵＩ部３５に決定する。
【００３１】
ステップＳ１０９において、制御部１１は、決定した供給先に電力供給部１４から電力を供給し、その供給先に処理を実行させる。例えば、電力の供給先が画像処理部３１と定着部３４の場合には、制御部１１は、画像処理部３１に電力を供給して印刷データのデコンポーズを実行させる。デコンポーズにより印刷データはラスタデータに変換され、制御部１１はラスタデータを記憶部１２に記憶させる。また、制御部１１は、定着部３４に電力を供給して熱源を予熱する。デコンポーズと予熱は、第２の動作の一例である。ユーザがＵＩ部３５を起動させて蓄積印刷を指示すると、制御部１１は、搬送部３２と画像形成部３３に電力を供給し、記憶部１２に記憶されたラスタデータを画像形成部３３に出力する。すると、ラスタデータに基づく画像が記録媒体に印刷される。
【００３２】
第１実施形態によれば、予め定められた事象の発生を契機として印刷装置３に処理を実行させる印刷データを外部装置４から受信済みである場合、すなわち、印刷装置３が使用される可能性が高まった場合に印刷装置３への電力供給を開始することで、ユーザが印刷装置３に到達後処理開始までに要する時間が短縮される。
また、第１実施形態によれば、第２区域２２に進入したユーザに関連付けられた印刷データを外部装置４から受信済みである場合、すなわち、印刷装置３を使用する可能性が相対的に高いユーザが印刷装置３に接近した場合に、その可能性が相対的に低いユーザが印刷装置３に接近した場合と比べて印刷装置３への電力供給の開始が早められる。
また、第１実施形態によれば、第２区域２２に進入したユーザに関連付けられた印刷データを外部装置４から受信済みでない場合、すなわち、印刷装置３を使用する可能性が相対的に低いユーザが印刷装置３に接近した場合に、その可能性が相対的に高いユーザが印刷装置３に接近した場合と比べて印刷装置３への電力供給の開始が遅らされる。
また、第１実施形態によれば、検知装置の検知区域を第１区域２１と第２区域のいずれかに設定するから、検知装置が１つで済む。
【００３３】
＜第１実施形態の動作例＞
＜第１のケース＞
第１のケースは、外部装置４から制御装置１に印刷データを送信したユーザが印刷装置３に接近する場合を想定したものである。このケースでは、印刷データが制御装置１に記憶されているため（ステップＳ１０２：ＹＥＳ）、検知区域が第２区域２２に設定される（ステップＳ１０３）。その後、定められた時間内にこのユーザが第２区域２２に進入すると、ポーリングに応じて端末識別信号が受信される（ステップＳ１０４：ＹＥＳ）。次に、ユーザが識別され（ステップＳ１０５：ＹＥＳ）、検知区域が第２区域２２と判定され（ステップＳ１０６：ＹＥＳ）、当該ユーザに関連付けられた印刷データが記憶されていると判定され（ステップＳ１０７：ＹＥＳ）、電力の供給先が決定され（ステップＳ１０８）、その供給先に電力が供給される（ステップＳ１０９）。
【００３４】
＜第２のケース＞
第２のケースは、外部装置４から制御装置１が印刷データを受信していない状態でユーザが印刷装置３に接近する場合を想定したものである。このケースでは、印刷データが制御装置１に記憶されていないため（ステップＳ１０２：ＮＯ）、検知区域は第１区域２１に設定されたままとなる。その後、定められた時間内にこのユーザが第１区域２１に進入すると、ポーリングに応じて端末識別信号が受信される（ステップＳ１０４：ＹＥＳ）。次に、ユーザが識別され（ステップＳ１０５：ＹＥＳ）、検知区域が第１区域２１と判定され（ステップＳ１０６：ＮＯ）、当該ユーザに関連付けられた印刷データが記憶されていないため、電力の供給先がＵＩ部３５に決定され（ステップＳ１０８）、ＵＩ部３５に電力が供給される（ステップＳ１０９）。
【００３５】
＜第３のケース＞
第３のケースは、ユーザＡによって外部装置４から制御装置１に印刷データが送信されたが、印刷データを送信していないユーザＢが印刷装置３に接近する場合を想定したものである。このケースでは、印刷データが制御装置１に記憶されているため（ステップＳ１０２：ＹＥＳ）、検知区域が第２区域２２に設定される（ステップＳ１０３）。その後、定められた時間内にユーザＢが第２区域２２に進入すると、ポーリングに応じて端末識別信号が受信される（ステップＳ１０４：ＹＥＳ）。次に、ユーザが識別され（ステップＳ１０５：ＹＥＳ）、検知区域が第２区域２２と判定される（ステップＳ１０６：ＹＥＳ）。ところが、ユーザＢに関連付けられた印刷データが記憶されていないため（ステップＳ１０７：ＮＯ）、検知区域が第１区域２１に縮小される（ステップＳ１１０）。その後、定められた時間内にユーザＢが第１区域２１に進入すると、ポーリングに応じて端末識別信号が受信される（ステップＳ１０４：ＹＥＳ）。次に、ユーザがユーザＢと識別され（ステップＳ１０５：ＹＥＳ）、検知区域が第１区域２１と判定され（ステップＳ１０６：ＮＯ）、ユーザＢに関連付けられた印刷データが記憶されていないため、電力の供給先がＵＩ部３５に決定され（ステップＳ１０８）、ＵＩ部３５に電力が供給される（ステップＳ１０９）。
【００３６】
＜第２実施形態＞
第２実施形態では、第１実施形態の検知装置２に代えて、以下に示す構成を備える。
図８は、ポーリング信号の到達範囲を示す図である。第２検知装置２Ｂは、第１検知装置２Ａよりもポーリング信号の強度が強く、第１検知装置２Ａのポーリング信号は第１区域２１内に到達し、第２検知装置２Ｂのポーリング信号は第２区域２２内に到達する。つまり、第１検知装置２Ａの検知区域は第１区域であり、第２検知装置２Ｂの検知区域は第２区域である。第１検知装置２Ａが携帯端末５から端末識別情報を受信した場合は、第１区域２１にユーザが進入したことを意味する。第２検知装置２Ｂが携帯端末５から端末識別情報を受信した場合は、第２区域２２にユーザが進入したことを意味する。第２実施形態において、検知制御手段１０２は、第１区域２１へのユーザの進入を検知する第１検知装置２Ａと第２区域２２へのユーザの進入を検知する第２検知装置２Ｂとを制御する。検知制御手段１０２は、予め定められた事象の発生を契機として印刷装置３に処理を実行させる印刷データを外部装置４から受信したならば第２検知装置２Ｂを動作させる。
【００３７】
図９は、第２実施形態における制御装置１の動作を示す流れ図である。
最初に、ステップＳ２０１において、制御部１１は、第１検知装置２Ａを動作させる。
ステップＳ２０２において、制御部１１は、記憶部１２に印刷データ（命令の一例）が記憶されているか否かを判定する。記憶部１２に印刷データが記憶されているということは、外部装置４から制御装置１が印刷データを受信済みであることを意味する。記憶部１２に印刷データが記憶されている場合（ステップＳ２０２：ＹＥＳ）には、制御部１１の処理はステップＳ２０３に進み、記憶部１２に印刷データが記憶されていない場合（ステップＳ２０２：ＮＯ）には、制御部１１の処理はステップＳ２０４に進む。
ステップＳ２０３において、制御部１１は、第１検知装置２Ａに加えて第２検知装置２Ｂを動作させる。
【００３８】
ステップＳ２０４において、制御部１１は、定められた時間内に端末識別情報を受信したか否かを判定する。端末識別情報を受信したということは、第１区域２１又は第２区域２２にユーザが進入したことを意味する。定められた時間とは、例えば、数秒から数分といった長さの予め設定された時間である。この時間内に端末識別情報を受信した場合（ステップＳ２０４：ＹＥＳ）には、制御部１１の処理はステップＳ２０５に進み、この時間内に端末識別情報を受信しなかった場合（ステップＳ２０４：ＮＯ）には、制御部１１の処理はステップＳ２０２に戻る。
【００３９】
ステップＳ２０５において、制御部１１は、ユーザが識別されたか否かを判定する。具体的には、受信した端末識別情報に対応するユーザ識別情報がユーザ識別テーブル１５から読み出されたならば、制御部１１はユーザが識別されたと判定し（ステップＳ２０５：ＹＥＳ）、制御部１１の処理はステップＳ２０６に進み、受信した端末識別情報に対応するユーザ識別情報がユーザ識別テーブルに存在しないならば、制御部１１はユーザが識別されなかったと判定し（ステップＳ２０５：ＮＯ）、制御部１１の処理はステップＳ２０２に戻る。
【００４０】
ステップＳ２０６において、制御部１１は、ユーザを検知した区域が第２区域２２か否かを判定する。ユーザを検知した区域が第２区域２２であるということは、記憶部１２に印刷データが記憶されていることを意味する。ユーザを検知した区域が第２区域２２である場合（ステップＳ２０６：ＹＥＳ）には、制御部１１の処理はステップＳ２０７に進み、ユーザを検知した区域が第２区域２２でない（つまり、第１区域２１である）場合（ステップＳ２０６：ＮＯ）には、制御部１１の処理はステップＳ２０８に進む。
【００４１】
ステップＳ２０７において、制御部１１は、当該ユーザに関連付けられた印刷データが記憶部１２に記憶されているか否かを判定する。当該ユーザに関連付けられた印刷データが記憶部１２に記憶されている場合（ステップＳ２０７：ＹＥＳ）には、制御部１１の処理はステップＳ２０８に進み、当該ユーザに関連付けられた印刷データが記憶部１２に記憶されていない場合（ステップＳ２０７：ＮＯ）には、制御部１１の処理はステップＳ２０４に戻る。
【００４２】
ステップＳ２０８において、制御部１１は、電力の供給先を決定する。具体的な処理の内容は、第１実施形態のステップＳ１０８と同様である。
ステップＳ２０９において、制御部１１は、決定した供給先に電力を供給し、その供給先に処理を実行させる。具体的な処理の内容は、第１実施形態のステップＳ１０９と同様である。
第２実施形態によれば、印刷装置３が使用される可能性が高まった場合に、第１区域へのユーザの進入の検知と第２区域へのユーザの進入の検知とが並行して行われる。
【００４３】
＜第３実施形態＞
第３実施形態は、第１実施形態と同様のハードウェア構成を有する。第３実施形態において、検知装置２は、ユーザが携帯する携帯端末５と電波を用いて通信する。供給手段１０１は、第２区域２２に進入したユーザに関連付けられた印刷データを外部装置４から受信済みでない場合に、検知装置２が携帯端末５から受信した電波の強度が第１区域２１に対応する強度に達したならば、第１の動作のための電力を印刷装置３に供給する。
【００４４】
図１０は、第３実施形態における制御装置１の動作を示す流れ図である。
最初に、ステップＳ３０１において、制御部１１は、ポーリング信号の強度を第１強度に設定することによって、検知区域を第１区域２１に設定する。
ステップＳ３０２において、制御部１１は、記憶部１２に印刷データ（命令の一例）が記憶されているか否かを判定する。記憶部１２に印刷データが記憶されているということは、外部装置４から制御装置１が印刷データを受信済みであることを意味する。記憶部１２に印刷データが記憶されている場合（ステップＳ３０２：ＹＥＳ）には、制御部１１の処理はステップＳ３０３に進み、記憶部１２に印刷データが記憶されていない場合（ステップＳ３０２：ＮＯ）には、制御部１１の処理はステップＳ３０４に進む。
ステップＳ３０３において、制御部１１は、ポーリング信号の強度を第２強度に設定することによって、検知区域を第２区域２２に設定する。
【００４５】
ステップＳ３０４において、制御部１１は、定められた時間内に端末識別情報を受信したか否かを判定する。端末識別情報を受信したということは、第１区域２１又は第２区域２２にユーザが進入したことを意味する。定められた時間とは、例えば、数秒から数分といった長さの予め設定された時間である。この時間内に端末識別情報を受信した場合（ステップＳ３０４：ＹＥＳ）には、制御部１１の処理はステップＳ３０５に進み、この時間内に端末識別情報を受信しなかった場合（ステップＳ３０４：ＮＯ）には、制御部１１の処理はステップＳ３０２に戻る。
【００４６】
ステップＳ３０５において、制御部１１は、ユーザが識別されたか否かを判定する。具体的には、受信した端末識別情報に対応するユーザ識別情報がユーザ識別テーブル１５から読み出されたならば、制御部１１はユーザが識別されたと判定し（ステップＳ３０５：ＹＥＳ）、制御部１１の処理はステップＳ３０６に進み、受信した端末識別情報に対応するユーザ識別情報がユーザ識別テーブルに存在しないならば、制御部１１はユーザが識別されなかったと判定し（ステップＳ３０５：ＮＯ）、制御部１１の処理はステップＳ３０２に戻る。
【００４７】
ステップＳ３０６において、制御部１１は、ユーザを検知した区域が第２区域２２か否かを判定する。ユーザを検知した区域が第２区域２２であるということは、記憶部１２に印刷データが記憶されていることを意味する。ユーザを検知した区域が第２区域２２である場合（ステップＳ３０６：ＹＥＳ）には、制御部１１の処理はステップＳ３０７に進み、ユーザを検知した区域が第２区域２２でない（つまり、第１区域２１である）場合（ステップＳ３０６：ＮＯ）には、制御部１１の処理はステップＳ３０８に進む。
【００４８】
ステップＳ３０７において、制御部１１は、当該ユーザに関連付けられた印刷データが記憶部１２に記憶されているか否かを判定する。当該ユーザに関連付けられた印刷データが記憶部１２に記憶されている場合（ステップＳ３０７：ＹＥＳ）には、制御部１１の処理はステップＳ３０８に進み、当該ユーザに関連付けられた印刷データが記憶部１２に記憶されていない場合（ステップＳ３０７：ＮＯ）には、制御部１１の処理はステップＳ３１０に進む。
【００４９】
ステップＳ３１０において、制御部１１は、検知装置２のポーリングに対する携帯端末５の応答信号の強度を測定する。
ステップＳ３１１において、制御部１１は、応答信号の強度が閾値に達したか否かを判定する。この閾値は、携帯端末５が第１区域２１の境界線上に位置する場合の応答信号の強度として予め設定されている。応答信号の強度が閾値に達した場合（ステップＳ３１１：ＹＥＳ）には、制御部１１の処理はステップＳ３０８に進み、応答信号の強度が閾値に達していない場合（ステップＳ３１１：ＮＯ）には、制御部１１の処理はステップＳ３１０に戻る。
【００５０】
ステップＳ３０８において、制御部１１は、電力の供給先を決定する。具体的な処理の内容は、第１実施形態のステップＳ１０８と同様である。
ステップＳ３０９において、制御部１１は、決定した供給先に電力を供給し、その供給先に処理を実行させる。具体的な処理の内容は、第１実施形態のステップＳ１０９と同様である。
第３実施形態によれば、検知装置２がユーザの進入を検知する区域を第２区域に設定したままで、第１区域へのユーザの進入が検知される。
【００５１】
＜変形例＞
実施形態を次のように変形してもよい。また、複数の変形例を組み合わせてもよい。
＜第１変形例＞
第１実施形態において、最初に検知区域を第２区域２２に設定するようにしてもよい。具体的には、図７の流れ図におけるステップＳ１０１、Ｓ１０２を削除すればよい。
第２実施形態において、最初に第１検知装置と第２検知装置を動作させるようにしてもよい。具体的には、図９の流れ図におけるステップＳ２０１、Ｓ２０２を削除すればよい。
第３実施形態において、最初に検知区域を第２区域に設定するようにしてもよい。具体的には、図１０の流れ図におけるステップＳ３０１、Ｓ３０２を削除すればよい。この場合、ステップＳ３０６は不要となる。
【００５２】
＜第２変形例＞
上記の実施形態では、第２区域２２に進入したユーザに関連付けられた印刷データが記憶されている場合に画像処理部３１と定着部３４に電力を供給する例を示したが、これは一例に過ぎず、画像処理部３１と定着部３４のいずれかに電力を供給してもよいし、他の構成要素に電力を供給してもよい。また、上記の実施形態では、ユーザを検知した区域が第１区域である場合にＵＩ部３５に電力を供給する例を示したが、これは一例に過ぎず、定着部３４などに電力を供給してもよい。
【００５３】
＜第３変形例＞
上記の実施形態では、第２区域２２への進入が検知されたユーザに関連付けられた印刷データに応じた処理（デコンポーズなど）の最中に他のユーザの第２区域２２への進入が検知されることがあり得る。この場合、進入が検知された順にデコンポーズなどの処理を行い、処理済みのデータを記憶部１２に記憶させるようにしてもよい。
【００５４】
＜第４変形例＞
供給手段１０１が、第１区域２１に進入したユーザに関連付けられた処理の履歴から予測される処理を実行するための第１の動作のための電力を印刷装置３に供給するようにしてもよい。具体的には、印刷装置３が実行した処理の履歴を記憶部１２に記憶させておき、第１区域への進入が検知されたユーザに関連付けられた履歴から頻度の高い処理を抽出し、その処理の実行のための電力を供給する。例えば、印刷装置３が白黒印刷とカラー印刷の機能を備え、当該ユーザが白黒印刷よりも高い頻度でカラー印刷を行っていた場合、カラー印刷を行うための構成要素に電力を供給する。
【００５５】
＜第５変形例＞
供給手段１０１が、第１区域２１に進入したユーザに付与された権限に対応した処理を実行するための第１の動作のための電力を印刷装置３に供給するようにしてもよい。具体的には、実行が許可される処理の項目のリストをユーザ毎に記憶部１２に記憶させておき、第１区域２１への進入が検知されたユーザに許可される処理の項目をリストから特定し、その処理の実行のための電力を供給する。例えば、当該ユーザが白黒印刷のみ許可されている場合、白黒印刷を行うための構成要素に電力を供給する。
【００５６】
＜第６変形例＞
第１実施形態では、検知装置２の検知区域を第１区域２１と第２区域２２のいずれかに設定する例を示したが、第１区域２１と第２区域２２で一定時間毎に交互に検知を行うようにしてもよい。
【００５７】
＜第７変形例＞
上記の実施形態では、無線通信によってユーザが携帯する携帯端末を検知する例を示したが、印刷装置３の周囲を撮影したデジタル画像を解析してユーザの進入を検知するようにしてもよい。この場合、顔認証などの技術によってユーザを識別するようにしてもよい。
また、印刷装置３に至る通路上に光学センサなどを設けてユーザの進入を検知するようにしてもよい。
上記の実施形態では、携帯端末から取得した端末識別情報からユーザ識別情報を特定する例を示したが、ユーザ識別情報を記憶したＩＣ（Integrated Circuit）タグをユーザに携帯させ、このＩＣタグからユーザ識別情報を取得するようにしてもよい。
また、ポーリング信号に対して携帯端末５の各々が互いに異なる周波数で応答するようにし、その周波数によって携帯端末５を識別するようにしてもよい。
【００５８】
＜第８変形例＞
上記の実施形態では、外部装置４が制御装置１に印刷データを送信する例を示したが、例えば、ＬＡＮ経由で複数の印刷装置３を制御するプリントサーバなどに外部装置４が印刷データを送信し、制御装置１がプリントサーバと通信して印刷データの有無を確認するようにしてもよい。
【００５９】
＜第９変形例＞
上記の実施形態では、制御装置１と検知装置２が印刷装置３と一体に構成されている例を示したが、制御装置１と検知装置２のいずれか一方又は両方が印刷装置３から分離されていてもよい。例えば、印刷装置３に至る通路上に検知装置２が設けられていてもよい。この場合、検知装置２の検知区域の外に印刷装置３が設置されていてもよい。
図１１は、第２実施形態の変形例を示す図である。この例では、部屋の隅に印刷装置３が設置されており、第２検知装置２Ｂが第１検知装置２Ａよりも印刷装置３から遠い位置に設置されている。
【００６０】
＜第１０変形例＞
時間帯や時期によって検知区域の広さを変更するようにしてもよい。例えば、電子機器が使用される頻度の高い時間帯に検知区域を第２区域２２に設定してもよい。また、電子機器による処理の実行の履歴から、電子機器が使用される頻度の高い時間帯を特定し、この時間帯に検知区域を第２区域２２に設定してもよい。また、月初や月末など、電子機器の使用頻度が高い時期に検知区域を第２区域２２に設定してもよい。
記憶部１２に記憶された命令の数が多いほど電子機器の使用の頻度が高くなることが考えられるため、例えば、記憶された命令の数が閾値に達したならば検知区域を第２区域２２に設定してもよい。
【００６１】
＜第１１変形例＞
上記の実施形態では、予め定められた事象の一例として、ユーザによる印刷装置３の操作の例を示したが、例えば、第１区域２１へのユーザの進入を契機として、印刷データに基づく印刷を印刷装置３に実行させるようにしてもよい。
【００６２】
＜第１２変形例＞
上記の実施形態では、電子機器の一例として印刷装置３を示したが、電子機器はいかなる装置であってもよい。例えば、電子機器は、複写機、ファクシミリ装置などでもよい。
上記の実施形態では、制御装置１の制御部１１がアプリケーションプログラムを実行することによって上記の機能を実現する例を示したが、上記の機能がハードウェア回路で制御装置１に実装されていてもよい。また、このプログラムを、光記録媒体、半導体メモリなど、コンピュータで読み取り可能な記録媒体に記録して提供し、この記録媒体からプログラムを読み取って制御装置１にインストールするようにしてもよい。また、このプログラムを電気通信回線で提供してもよい。
【符号の説明】
【００６３】
１…制御装置、１１…制御部、１２…記憶部、１３…通信部、１４…電力供給部、１５…ユーザ識別テーブル、１０１…供給手段、１０２…検知制御手段、２…検知装置、２１…第１区域、２２…第２区域、３…印刷装置、３１…画像処理部、３２…搬送部、３３…画像形成部、３４…定着部、３５…ＵＩ部、４…外部装置、５…携帯端末
【図１】
2016049655.tif 000003
【図２】
2016049655.tif 000004
【図３】
2016049655.tif 000005
【図４】
2016049655.tif 000006
【図５】
2016049655.tif 000007
【図６】
2016049655.tif 000008
【図７】
2016049655.tif 000009
【図８】
2016049655.tif 000010
【図９】
2016049655.tif 000011
【図１０】
2016049655.tif 000012
【図１１】
2016049655.tif 000013